(57)【要約】【課題】所望の病院に関する所望のコンテンツをいつでも観ることができる病院用コンテンツ表示システムを提供する。【解決手段】病院用コンテンツ表示システム１００は、コンテンツを表示可能な表示装置１０と、複数の受付釦２１を有するリモートコントローラ２０と、記憶部３１に記憶している病院に関するコンテンツを制御するコンテンツ制御装置（メディアプレーヤ）３０とを、リモートコントローラ２０は、複数の受付釦２１に対応する命令信号をメディアプレーヤ３０に送信し、メディアプレーヤ３０は、リモートコントローラ２０から送信された命令信号に基づいて、記憶部３１に記憶している病院に関するコンテンツを表示装置１０に送信し、表示装置１０は、メディアプレーヤ３０から送信された病院に関するコンテンツを表示することを特徴とする。【選択図】図１
2012222534.tif 000002
【特許請求の範囲】
【請求項１】
複数の受付釦を有するリモコンと、コンテンツを表示可能な表示装置と、記憶手段に記憶している病院に関するコンテンツを制御するコンテンツ制御装置とを備えた病院用コンテンツ表示システムであって、
前記リモコンは、前記複数の受付釦に対応する命令信号を前記コンテンツ制御装置に送信し、
前記コンテンツ制御装置は、前記リモコンから送信された命令信号に基づいて、前記記憶手段に記憶している前記病院に関するコンテンツを前記表示装置に送信し、
前記表示装置は、前記コンテンツ制御装置から送信された前記病院に関するコンテンツを表示することを特徴とする病院用コンテンツ表示システム。
【請求項２】
前記リモコンは、青、赤、緑、黄の色彩で区別される４色の受付釦を備えており、前記４色の受付釦のいずれかに対応する命令信号を前記コンテンツ制御装置に送信し、
前記コンテンツ制御装置は、前記リモコンから送信された前記４色の受付釦のいずれかに対応する命令信号に基づいて、前記記憶手段に記憶している前記病院に関するコンテンツを前記表示装置に送信し、
前記表示装置は、前記コンテンツ制御装置から送信された前記病院に関するコンテンツを表示する請求項１に記載の病院用コンテンツ表示システム。
【請求項３】
前記コンテンツ制御装置は、前記リモコンの有する前記４色の受付釦の各色彩と同一の色彩の選択肢が表示されるコンテンツを前記表示装置に送信する請求項２に記載の病院用コンテンツ表示システム。
【請求項４】
前記コンテンツ制御装置は、前記リモコンから送信された前記４色の受付釦のいずれかに対応する命令信号を受信すると、受信した該命令信号に対応する前記４色の受付釦の色彩を背景画面とするコンテンツを前記表示装置に送信する請求項３に記載の病院用コンテンツ表示システム。
【請求項５】
外部の記憶媒体に記憶されている前記病院に関するコンテンツを入力するためのコンテンツ入力手段を備える請求項１から請求項４のいずれかに記載の病院用コンテンツ表示システム。
【発明の詳細な説明】
【技術分野】
【０００１】
本発明は、病院において動画や静止画などのコンテンツを表示する病院用コンテンツ表示システムに関する。
【背景技術】
【０００２】
病院では、一般に病室内に入院患者向けのテレビが配置されており、このテレビによって放送局から送信される番組などの動画コンテンツが表示されるとともに、当該病院内の施設案内などの病院に関する動画や静止画のコンテンツが表示される。この病院に関するコンテンツは、入院患者に対する病院内の施設に関する説明に加え、治療に関する説明、ケアに関する説明などといった内容であるため、入院患者にとって非常に重要な意義を有している。従って、当該病院に関するコンテンツを視聴してもらうことにより、入院患者が安心して入院生活を送ることができ、入院患者あるいは見舞客からのナンセンスなクレームを低減させることにも繋がる。また、患者が入院する度に、病院側のスタッフが逐一病院内の施設に関する説明などをしなくてもよくなるため、スタッフの負担を軽減させることができ、ひいては患者に対して質の高いサービスを提供することが可能になる。
【０００３】
従って、上記した病院に関するコンテンツを視聴してもらうため、病院の所定箇所に設けられたビデオ再生機によって、病院に関するコンテンツを一元的に、かつ、半永久的に繰り返して再生するという技術が従来より知られている。これによって、各入院患者がテレビを所定のチャンネルに設定することにより、当該病院に関する動画コンテンツを視聴し得るようにしていた。
【発明の概要】
【発明が解決しようとする課題】
【０００４】
しかしながら、上記した従来の技術においては、入院患者が所定のチャンネルに設定した際には、動画コンテンツを途中から視聴するといった場合が多い。従って、例えば、入院患者あるいは見舞客が動画コンテンツを最初から視聴したいといった場合、動画コンテンツが最終に至った後に繰り返しされるまで待たなければならなかった。また、動画コンテンツの途中部分だけを視聴したい場合にも、当該動画コンテンツが最終に至るまで待たなければならなかった。
【０００５】
本発明は、上記した問題点に鑑みてなされたものであって、所望の病院に関するコンテンツをいつでも観ることができる病院用コンテンツ表示システムを提供することを目的とする。
【課題を解決するための手段】
【０００６】
本発明に係る病院用コンテンツ表示システムは、上記目的を達成するために、複数の受付釦を有するリモコンと、コンテンツを表示可能な表示装置と、記憶手段に記憶している病院に関するコンテンツを制御するコンテンツ制御装置とを備えている。この病院用コンテンツ表示システムにおいて、リモコンは、複数の受付釦に対応する命令信号をコンテンツ制御装置に送信し、コンテンツ制御装置は、リモコンから送信された命令信号に基づいて、記憶手段に記憶している病院に関するコンテンツを表示装置に送信し、表示装置は、コンテンツ制御装置から送信された病院に関するコンテンツを表示することを特徴とする。
【０００７】
これによれば、リモコンが複数の受付釦に対応する命令信号をコンテンツ制御装置に送信し、コンテンツ制御装置がリモコンから送信された命令信号に基づいて、記憶手段に記憶されている病院に関するコンテンツを表示装置に送信し、表示装置が送信された病院に関するコンテンツを表示するようにしたため、所望する病院に関するコンテンツをリモコン操作によって表示させることができる。
【０００８】
また、リモコンは、青、赤、緑、黄の色彩で区別される４色の受付釦を備えており、４色の受付釦のいずれかに対応する命令信号をコンテンツ制御装置に送信し、コンテンツ制御装置は、リモコンから送信された４色の受付釦のいずれかに対応する命令信号に基づいて、記憶手段に記憶している病院に関するコンテンツを表示装置に送信し、表示装置は、コンテンツ制御装置から送信された病院に関するコンテンツを表示するのが好ましい。これによれば、一般的なテレビ用のリモコンに標準装備されている４色釦の各釦を利用することができる。
【０００９】
また、コンテンツ制御装置は、リモコンの有する４色の受付釦の各色彩と同一の色彩の選択肢が表示されるコンテンツを表示装置に送信するのが好ましい。これによれば、リモコンの有する４色の受付釦の各色彩と、４色の受付釦の各色彩と同一の色彩の選択肢が表示される表示画面とを色彩的に関連付けることが可能となるため、病院に関するコンテンツを視覚的に容易に選択することができる。
【００１０】
また、コンテンツ制御装置は、リモコンから送信された４色の受付釦のいずれかに対応する命令信号を受信すると、受信した該命令信号に対応する４色の受付釦の色彩を背景画面とするコンテンツを表示装置に送信するのが好ましい。これによれば、表示装置に表示された背景画面の色彩をみることにより、視聴者は自らがした選択を一目で認識することができる。
【００１１】
また、外部の記憶媒体に記憶されている病院に関するコンテンツを入力させるためのコンテンツ入力手段を備えるのが好ましい。これによれば、外部の記憶媒体に記憶されている病院に関するコンテンツをコンテンツ制御装置に簡単に入力することができ、様々な病院に関するコンテンツを簡単に入れ換えることが可能となる。
【発明の効果】
【００１２】
本発明によれば、リモコンが複数の受付釦に対応する命令信号をコンテンツ制御装置に送信し、コンテンツ制御装置がリモコンから送信された命令信号に基づいて、記憶手段に記憶されている病院に関するコンテンツを表示装置に送信し、表示装置が送信された病院に関するコンテンツを表示するようにしたため、所望する病院に関するコンテンツをリモコン操作によって表示させることができ、所望の病院に関するコンテンツをいつでも観ることが可能となる。
【図面の簡単な説明】
【００１３】
【図１】病院用コンテンツ表示システムの概略構成図である。
【図２】リモコンの平面図である。
【図３】メディアプレーヤの斜視図である。
【図４】病院用コンテンツ表示システムの電気的構成を示すブロック図である。
【図５】病院用コンテンツ表示システムの表示装置における表示内容とその切り換わりを示す図である。
【発明を実施するための形態】
【００１４】
次に、本発明に係る病院用コンテンツ表示システム（以下「本システム」という）１００の一実施形態について図面を参照しつつ説明する。
【００１５】
この実施形態に係る本システム１００は、図１に示すように、コンテンツを表示可能な表示装置１０と、複数の受付釦２１を有するリモートコントローラ（以下「リモコン」という）２０と、記憶部３１に記憶している病院に関するコンテンツを制御するコンテンツ制御装置（以下「メディアプレーヤ」という）３０とを備えている。この実施形態において、本システム１００は入院患者あるいは見舞客などが所望する病院に関するコンテンツをリモコン２０操作によって表示する。なお、以下の説明において、本システム１００を利用する者を「視聴者」という。
【００１６】
前記表示装置１０は、モニタ部１１およびスピーカ部１２を有しており、有線あるいは無線によって接続された図示略のネットワークを介して各放送局から送信されるテレビ番組や、メディアプレーヤ３０を含むその他の外部機器から送信される動画コンテンツの映像をモニタ部１１により、また、動画コンテンツの音声をスピーカ部１２により出力する。なお、この表示装置１０は、いわゆる地上デジタル放送に対応した一般的なテレビである。
【００１７】
前記リモコン２０は、図２に示すように、複数の受付釦２１を有しており、該複数の受付釦２１が視聴者によって押下されることにより、視聴者の所定の命令を受け付けて、受け付けた所定の命令を命令信号として表示装置１０あるいはメディアプレーヤ３０に無線で送信する。このリモコン２０は、複数の受付釦２１において、入力切換釦２１１と、青、赤、緑、黄の４色の色彩で区別される４色の受付釦２１２とを備え、これらを含む複数の受付釦２１のいずれかが視聴者によって押下されることにより命令を受け付けて、図示略の送信ポートから該命令に基づく命令信号を表示装置１０あるいはメディアプレーヤ３０に送信する。
【００１８】
前記入力切換釦２１１は、コンテンツが表示装置１０に送信される複数の送信経路のうち、いずれの送信経路から送信されるコンテンツを表示装置１０に表示させるかを切り換えるための釦である。通常、表示装置１０は、放送局から送信される動画コンテンツを表示するよう設定されており、視聴者によって入力切換釦２１１が押下されることにより、メディアプレーヤ３０を含むその他表示装置１０に接続されている外部機器から送信されるコンテンツを表示するように設定が切り換えられる。
【００１９】
前記４色の受付釦２１２は、青釦２１２ａ、赤釦２１２ｂ、緑釦２１２ｃ、黄釦２１２ｄから構成される。これら４色の受付釦２１２は、色彩により視覚的に明確に区別されているため、視聴者も一目で区別し得る。また、各釦２１２ａ〜２１２ｄはいずれも視聴者によって押下されることにより各々異なる命令を受け付け、この実施形態においては後述する病院に関する動画コンテンツの選択に用いられる。また、青釦２１２ａ、赤釦２１２ｂ、緑釦２１２ｃ、黄釦２１２ｄは、一般的なテレビ用のリモコン２０に標準装備されている。本実施形態では、リモコン２０の上方端部近傍に横一列で上記の順に左から配置されており、普段から使用して馴染みがある視聴者にとっては、目視せずとも各釦２１２ａ〜２１２ｄを区別して押下することが可能である。
【００２０】
前記メディアプレーヤ３０は、図１に示すように、表示装置１０の下面にねじ留めによって設けられている。具体的には、メディアプレーヤ３０は、表示装置１０がリモコン２０から送信された信号を直接的に受信する図示略の無線受信部の近傍に設けられる。また、メディアプレーヤ３０は、図３に示すように、薄型の形状に形成されているため、設置するに当たって高さの制限を受けにくい。
【００２１】
このメディアプレーヤ３０は、図４に示すように、病院に関するコンテンツを複数記憶する記憶部３１と、リモコン２０から送信される信号を受信する受信部３２と、記憶部３１に記憶している病院に関するコンテンツを表示装置１０に送信する送信部３３と、外部の記憶媒体に記憶されている病院に関するコンテンツを入力させるためのコンテンツ入力部３４と、メディアプレーヤ３０の有する各構成の動作を制御する制御部３５とを備えている。
【００２２】
前記記憶部３１は、病院に関するコンテンツを複数記憶しており、これらのコンテンツには、入院患者あるいは見舞いに来た客に対して病院内の施設に関する説明、治療に関する説明、ケアに関する説明などの動画コンテンツと、視聴者に病院に関する動画コンテンツを選択させるための静止画コンテンツ（各種メニュー画面）とが含まれ、後述の制御部３４によって適宜読み出される。
【００２３】
前記受信部３２は、正面側にリモコン２０から送信された命令信号を受信する受信ポート３２１を有しており（図３参照）、受信ポート３２１によりリモコン２０から送信された命令信号を受信して、後述する制御部３４に送信する。
【００２４】
前記送信部３３は、表示装置１０とＡＶ（Ａｕｄｉｏ−Ｖｉｄｅｏ）ケーブルによって接続されており、病院に関するコンテンツを表示装置１０に送信することが可能である。具体的に、送信部３３は、制御部３４によって記憶部３１から読み出された病院に関する動画コンテンツおよび静止画コンテンツを表示装置１０に送信する。これにより、送信部３３から送信された該病院に関するコンテンツが表示装置１０において表示されることとなる。
【００２５】
前記コンテンツ入力部３４は、ＳＤ（Ｓａｆｅ  Ｄｒｉｖｅｒ）メモリカードからなる外部の記憶媒体Ｍに記憶されている病院に関するコンテンツを入力させる。これによれば、外部の記憶媒体Ｍに記憶されている病院に関するコンテンツをメディアプレイヤ３０に簡単に入力することができ、様々な病院に関するコンテンツを簡単に入れ換えることが可能となる。なお、記憶媒体Ｍは、その他のＵＳＢ（Ｕｎｉｖｅｒｓａｌ  Ｓｅｒｉａｌ  Ｂｕｓ）メモリなどのフラッシュメモリやＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｃ）などであってもよい。
【００２６】
前記制御部３５は、メディアプレーヤ３０の有する記憶部３１、受信部３２、送信部３３、コンテンツ入力部３４の動作を制御することにより、リモコン２０の有する４色の受付釦２１２ａ〜２１２ｄに対応する命令信号を受信部３２により受信すると、リモコン２０から送信された４色の受付釦２１２ａ〜２１２ｄに対応する命令信号に基づいて、記憶部３１に記憶されている病院に関するコンテンツまたはコンテンツ入力部３４を介して入力される外部の記憶媒体Ｍに記憶されている病院に関するコンテンツを送信部３３により表示装置２０に送信することができる。これにより、病院に関するコンテンツが表示装置１０において表示される。
【００２７】
また、制御部３５は、リモコン２０の有する４色の受付釦２１２ａ〜２１２ｄの各色彩と同一の色彩の選択肢が表示される静止画コンテンツを表示装置１０に送信する。具体的に、例えば、リモコン２０の有する４色の受付釦２１２ａ〜２１２ｄの各色彩は青、赤、緑、黄の４色であるため、制御部３５は、表示装置１０において青、赤、緑、黄の４つの色彩がそれぞれ付される選択肢を表示するメニュー画面の静止画コンテンツを表示装置１０に送信する。これにより、リモコン２０の有する４色の受付釦２１２ａ〜２１２ｄの青、赤、緑、黄の４色と、表示装置１０において青、赤、緑、黄の４つの色彩がそれぞれ付される選択肢が表示される表示画面とを色彩的に関連付けることが可能となるため、視聴者は病院に関するコンテンツを正確に選択することができる。
【００２８】
また、制御部３５は、リモコン２０から送信された４色の受付釦２１２ａ〜２１２ｄのいずれかに対応する命令信号を受信すると、受信した該命令信号に対応する４色の受付釦２１２ａ〜２１２ｄの色彩を背景画面とするコンテンツを表示装置１０に送信する。具体的には、制御部３５がリモコン２０の有する４色の受付釦２１２のいずれかに対応する命令信号に基づいてメニュー画面を表示させる静止画コンテンツを表示装置１０に送信する場合において、例えば、リモコン２０の青釦２１２ａが押下されたとすると、制御部３５は青釦２１２ａに基づく命令信号を受信して、青を背景画面とするメニュー画面の静止画コンテンツを表示装置１０に送信する。このことにより、表示装置１０に表示された背景画面の色彩をみることにより、視聴者は自らがした選択を一目で認識することができる。なお、その他、赤釦２１２ｂ、緑釦２１２ｃ、黄釦２１２ｄの場合も同様のため、説明を省略する。
【００２９】
なお、制御部３５は、病院に関する動画コンテンツを表示装置１０で表示させている際、リモコン２０の４色の受付釦２１２ａ〜２１２ｄに対応する命令信号を受信した場合、各受付釦２１２ａ〜２１２ｄの命令信号に基づいて、動画コンテンツを再生、一時停止、早送り、早戻しする制御を行うことも可能である。
【００３０】
次に、本システム１００の動作の一例について図５を参照しつつ説明する。図５は、本システム１００の表示装置１０（モニタ部１１）における表示内容とその切り換わりを示す図である。以下の説明における表示装置１０の表示内容については、制御部３５が病院に関するコンテンツを送信したことよるものとして説明する。また、表示装置１０はリモコン２０の入力切換釦２１１によりメディアプレーヤ３０から送信されるコンテンツを表示するように設定されており、本システム１００の初期状態にあるものとする。
【００３１】
図５のステップＳ０（以下「ステップ」省略）において、本システム１００は初期状態にあるため、モニタ部１１には初期状態において送信されている静止画コンテンツの「トップメニュー画面」５０が表示されている。「トップメニュー画面」５０には、青が左側に付された「入院のご案内（本日ご入院の方へ）」、赤が左側に付された「オリエンテーション（インフォームド・コンセプト）」、緑が左側に付された「指導用映像（コミュニケーション支援）」、黄が左側に付された「ちょっと寄ってみません家（癒し）」の４つの選択肢が表示されている。従って、視聴者は、リモコン２０における４色の受付釦２１２ａ〜２１２ｄの青、赤、緑、黄の色彩と、モニタ部１１における青、赤、緑、黄の４つの色彩がそれぞれ付された選択肢とを色彩的に関連付けて、リモコン２０を操作することができる。
【００３２】
Ｓ０において、青釦２１２ａが押下されるとＳ１の「メニュー画面」５１、赤釦２１２ｂが押下されるとＳ２の「メニュー画面」５２、緑釦２１２ｃが押下されるとＳ３の「メニュー画面」５３、黄釦２１２ｄが押下されるとＳ４の「メニュー画面」５４に表示内容が切り換わる。以下、各メニュー画面５１〜５４について個別に説明する。
【００３３】
（Ｓ１）Ｓ０において視聴者が青釦２１２ａを押下した場合、背景画面を青とし、青が付された「入院の生活について（病院内のご案内）」、赤が付された「盗難防止について」、緑が付された「転倒・転落の防止」、黄が付された「入院医療費の算定」の４つの選択肢を示す「メニュー画面」５１が表示される。従って、視聴者は、４色の受付釦２１２ａ〜２１２ｄの各色彩と、各色彩がそれぞれ付された選択肢と関連付けて、リモコン２０を操作することにより、所望の病院に関する動画コンテンツを表示させることができる。
【００３４】
（Ｓ２）Ｓ０において視聴者が赤釦２１２ｂを押下した場合、背景画面を赤とし、青が付された「術前オリエンテーション」、赤が付された「手術を受けられる患者さまへ」、緑が付された「術後オリエンテーション」、黄が付された「退院オリエンテーション」の４つの選択肢を示す「メニュー画面」５２が表示される。「手術を受けられる患者さまへ」以外は、上記と同様、視聴者のリモコン２０の操作によって、所望の病院に関する動画コンテンツを表示することができる。
【００３５】
このＳ２において、視聴者が「手術を受けられる患者さまへ」に該当する赤釦２１２ｂを押下した場合、青が付された「全身麻酔＋硬膜外麻酔」、赤が付された「腰椎麻酔」、緑が付された「全身麻酔」、黄が付された「未登録」の４つの選択肢を示す「メニュー画面」５２１が表示される（Ｓ２１）。「未登録」以外は、上記と同様、視聴者のリモコン２０の操作によって、所望の病院に関する動画コンテンツを表示することができる。なお、「未登録」は、動画コンテンツがないため、表示されない。
【００３６】
（Ｓ３）Ｓ０において視聴者が緑釦２１２ｃを押下した場合、背景画面を緑とし、青が付された「糖尿病１」、赤が付された「糖尿病２」、緑が付された「在宅酸素療法」、黄が付された「呼吸リハビリテーション」の４つの選択肢を示す「メニュー画面」５３が表示される。
【００３７】
このＳ３において、視聴者が青釦２１２ａを押下した場合、青が付された「糖尿病とは」、赤が付された「糖尿病の食事療法」、緑が付された「糖尿病の運動療法」、黄が付された「低血糖」の４つの選択肢を示す「メニュー画面」５３１が表示される（Ｓ３１）。Ｓ３において、視聴者が赤釦２１２ｂを押下した場合、青が付された「糖尿病の薬物療法」、赤が付された「糖尿病の合併症」、緑が付された「メディセーフミニ基本的な使用方法」、黄が付された「糖尿病患者の為の日常生活」の４つの選択肢を示す「メニュー画面」５３２が表示される（Ｓ３２）。Ｓ３において、視聴者が緑釦２１２ｃを押下した場合、青が付された「酸素供給装置のご使用方法について」、赤が付された「グリーンバブル付き酸素ボンベ＋呼吸同調器ＤＳ２２」、緑が付された「コークバブル付き酸素ボンベ＋呼吸同調器ロータス」、黄が付された「未登録」の４つの選択肢を示す「メニュー画面」５３３が表示される（Ｓ３３）。Ｓ３において、視聴者が黄釦２１２ｄを押下した場合、青が付された「正しい呼吸方法」、赤が付された「運動療法」、緑が付された「排痰法」、黄が付された「未登録」の４つの選択肢を示す「メニュー画面」５３４が表示される（Ｓ３４）。「未登録」以外は、上記と同様、視聴者のリモコン２０操作によって、所望の病院に関する動画コンテンツを表示させることができる。
【００３８】
（Ｓ４）Ｓ０において視聴者が黄釦２１２ｄを押下した場合、背景画面を黄とし、青が付された「拝啓このまちの皆さんへ」、赤が付された「やまだはなこ（教室）」、緑が付された「当病院の四季」、黄が付された「未登録」の４つの選択肢を示す「メニュー画面」５４が表示される。「未登録」以外は、上記と同様、視聴者のリモコン２０操作によって、所望の病院に関する動画コンテンツを表示させることができる。
【００３９】
以上のように動作する本システム１００においては、リモコン２０が４色の受付釦２１２ａ〜２１２ｄに対応する命令信号をメディアプレーヤ３０に送信し、メディアプレーヤ３０がリモコン２０から送信された命令信号に基づいて、記憶部３１に記憶している病院に関するコンテンツを表示装置１０に送信し、表示装置１０がメディアプレーヤ３０から送信された病院に関するコンテンツを表示するようにしたため、所望する病院に関するコンテンツをリモコン２０の操作によって表示させることができ、所望の病院に関するコンテンツをいつでも観ることが可能となる。
【００４０】
なお、上記の実施形態において、リモコン２０から送信された４色の受付釦２１２ａ〜２１２ｄに対応する命令信号に基づいて、記憶部３１に記憶されている病院に関するコンテンツを表示装置２０に送信する場合について説明したが、リモコン２０におけるその他の釦に基づいてもよい。
【００４１】
また、４色釦２１２の場合について説明したが、３色以下、あるいは５色以上の釦であってもよい。
【００４２】
また、４色釦２１２の各釦２１２ａ〜２１２ｄにおける色彩が選択肢に付される場合について説明したが、各選択肢と色彩とが関連しているように配置されればどこもよい。
【００４３】
また、２回の選択により病院に関するコンテンツが表示される場合について説明したが、動画コンテンツの数量などや分類の状況に応じて３回以上の選択により病院に関するコンテンツが表示されるようにしてもよい。
【００４４】
また、メディアプレーヤ３０の送信部３３が表示装置１０とＡＶケーブルによって接続されている場合について説明したが、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ。登録商標）ケーブルあるいはその他の接続手段によって接続されてもよい。
【００４５】
また、メディアプレイヤ３０は、表示装置１０から同軸ケーブル、ＨＤＭＩケーブル、ＵＳＢ等を介して電源が供給されるようにしてもよい。
【符号の説明】
【００４６】
１００…病院用コンテンツ表示システム
１０…表示装置
１１…モニタ
１２…スピーカ
２０…リモコン
２１…複数の受付釦
２１１…入力切換釦
２１２…４色の受付釦
２１２ａ…青釦
２１２ｂ…赤釦
２１２ｃ…緑釦
２１２ｄ…黄釦
３０…メディアプレーヤ
３１…記憶部
３２…受信部
３２１…受信ポート
３３…送信部
３４…記憶媒体入力部
３５…制御部
【図１】
2012222534.tif 000003
【図２】
2012222534.tif 000004
【図３】
2012222534.tif 000005
【図４】
2012222534.tif 000006
【図５】
2012222534.tif 000007